(57)【要約】  仮想アース配線を用いており、フィルタ特性上に現れるリップルを抑圧し得るフィルタ装置を提供する。  入力端子と出力端子との間に第１，第２のフィルタ部１４，１５が並列に接続されており、第１のフィルタ部１４が、第１，第２の段間配線１８，１９により２段縦続接続されている構造を有する縦結合共振子型弾性波フィルタであり、第２のフィルタ部１５が第３，第４の段間配線２３，２４により２段縦続接続されている構造を有する縦結合共振子型弾性波フィルタであり、第３の段間配線２３と第２の段間配線１９と流れる信号の位相が逆とされており、第２の段間配線１９に接続されているＩＤＴ電極と、第３の段間配線２３に接続されているＩＤＴ電極のホット側電位ではない電位に接続される端子部分同士が仮想アース配線２０により接続されており、該仮想アース配線２０に隣接しているホット側配線部分２５は圧電基板２上に設けられた絶縁膜２６上に配置されている、フィルタ装置１。
2014199674.tif 000002
【特許請求の範囲】
【請求項１】
圧電基板と、
入力端子と、出力端子と、
前記圧電基板上に形成されており、前記入力端子と前記出力端子との間に接続された第１のフィルタ部と、
前記圧電基板上に形成されており、前記入力端子と前記出力端子との間に接続されており、前記第１のフィルタ部に並列に接続されている第２のフィルタ部とを備え、
前記第１のフィルタ部が、第１の縦結合共振子型弾性波フィルタユニットと、前記第１の縦結合共振子型弾性波フィルタユニットに縦続接続されている第２の縦結合共振子型弾性波フィルタユニットと、前記第１の縦結合共振子型弾性波フィルタユニットと前記第２の縦結合共振子型弾性波フィルタユニットとを接続している第１，第２の段間配線とを有し、
前記第２のフィルタ部が、第３の縦結合共振子型弾性波フィルタユニットと、前記第３の縦結合共振子型弾性波フィルタユニットに縦続接続されている第４の縦結合共振子型弾性波フィルタユニットと、前記第３，第４の縦結合共振子型弾性波フィルタユニットを接続している第３，第４の段間配線とを有し、
前記第１のフィルタ部と、前記第２のフィルタ部とが、ホット側電位に接続される複数の第１の端子部分と、ホット側電位ではない電位に接続される複数の第２の端子部分とを有し、
前記第１のフィルタ部の複数の前記第２の端子部分の少なくとも１つの端子部分と、前記第２のフィルタ部の複数の前記第２の端子部分の少なくとも１つの端子部分とを接続している仮想アース配線と、
前記仮想アース配線に隣接しているホット側配線部分と、
前記圧電基板上に設けられた絶縁膜とをさらに備え、前記仮想アース配線に隣接している前記ホット側配線部分が、前記絶縁膜上に位置している、フィルタ装置。
【請求項２】
圧電基板と、
入力端子と、出力端子と、
前記圧電基板上に形成されており、前記入力端子と前記出力端子との間に接続された第１のフィルタ部と、
前記圧電基板上に形成されており、前記入力端子と前記出力端子との間に接続されており、前記第１のフィルタ部に並列に接続されている第２のフィルタ部とを備え、
前記第１のフィルタ部が、第１の縦結合共振子型弾性波フィルタユニットと、前記第１の縦結合共振子型弾性波フィルタユニットに縦続接続されている第２の縦結合共振子型弾性波フィルタユニットと、前記第１の縦結合共振子型弾性波フィルタユニットと前記第２の縦結合共振子型弾性波フィルタユニットとを接続している第１，第２の段間配線とを有し、
前記第２のフィルタ部が、第３の縦結合共振子型弾性波フィルタユニットと、前記第３の縦結合共振子型弾性波フィルタユニットに縦続接続されている第４の縦結合共振子型弾性波フィルタユニットと、前記第３，第４の縦結合共振子型弾性波フィルタユニットを接続している第３，第４の段間配線とを有し、
前記第１のフィルタ部と、前記第２のフィルタ部とが、ホット側電位に接続される複数の第１の端子部分と、ホット側電位ではない電位に接続される複数の第２の端子部分とを有し、
前記第１のフィルタ部の複数の前記第２の端子部分の少なくとも１つの端子部分と、前記第２のフィルタ部の複数の前記第２の端子部分の少なくとも１つの端子部分とを接続している仮想アース配線と、
前記仮想アース配線に立体交差しているホット側配線部分とをさらに備え、
該立体交差している部分において、前記仮想アース配線と前記ホット側配線部分との間に設けられた層間絶縁膜をさらに備え、該層間絶縁膜を介して立体交差している部分において前記仮想アース配線の幅が、該仮想アース配線の残りの部分の幅よりも細くされている、フィルタ装置。
【請求項３】
前記仮想アース配線が、前記第２の縦結合共振子型弾性波フィルタユニットの少なくとも１つの前記第２の端子部分と、前記第４の縦結合共振子型弾性波フィルタユニットの少なくとも１つの前記第２の端子部分とを電気的に接続している、請求項１または２に記載のフィルタ装置。
【請求項４】
前記入力端子が不平衡入力端子であり、前記出力端子が不平衡出力端子である、請求項１〜３のいずれか１項に記載のフィルタ装置。
【請求項５】
前記入力端子が、不平衡入力端子であり、前記出力端子が第１，第２の平衡出力端子である、請求項１〜３のいずれか１項に記載のフィルタ装置。
【請求項６】
前記入力端子と、前記出力端子との間に接続されており、前記第１，第２のフィルタ部に並列に接続されている少なくとも１つの第３のフィルタ部をさらに備える、請求項１〜５のいずれか１項に記載のフィルタ装置。
【請求項７】
請求項１〜６のいずれか１項に記載のフィルタ装置からなる第１の帯域通過型フィルタ装置と、
前記圧電基板上に設けられており、かつ前記第１の帯域通過型フィルタとは異なる第２の帯域通過型フィルタ装置とを備える、デュプレクサ。
【発明の詳細な説明】
【技術分野】
【０００１】
本発明は、圧電基板上に複数の弾性波共振子が構成されているフィルタ装置に関し、特に、縦結合共振子型弾性波フィルタ部を有するフィルタ装置並びにデュプレクサに関する。
【背景技術】
【０００２】
従来、携帯電話機のデュプレクサの受信フィルタとして縦結合共振子型フィルタ装置が広く用いられている。縦結合共振子型フィルタ装置では、小型化が強く求められている。【０００３】
下記の特許文献１では、２つの縦結合共振子型弾性波フィルタユニットを縦続接続してなる第１，第２の縦結合共振子型フィルタ部が並列に接続されている。すなわち、２段４素子構成の縦結合共振子型弾性波フィルタ装置が開示されている。特許文献１では、第１，第２の縦結合共振子型弾性波フィルタ部の１段目の縦結合共振子型弾性波フィルタユニットの隣り合うＩＤＴ電極のアース端子同士が配線により電気的に接続されている。従って、配線をグラウンド電位に接続せずに、仮想アース配線としている。従って、仮想アース配線をグラウンド電位に接続する必要がない。よって小型化を図ることができる。
【先行技術文献】
【特許文献】
【０００４】
【特許文献１】特開２００８−１１８２７７号公報
【発明の概要】
【発明が解決しようとする課題】
【０００５】
特許文献１に記載の仮想アース配線を用いた場合、グラウンド電位に接続するための端子や配線を省略することができる。従って、小型化を進めることができる。【０００６】
しかしながら、バランス型の弾性波フィルタ装置では、アース配線を用いると、一対の平衡端子間における振幅差や位相差の特性上に大きなリップルが現れるという問題があった。また、アンバランス型の弾性波フィルタ装置では、仮想アース配線を用いると、通過帯域内に大きなリップルが現れるという問題があった。従って、従来、仮想アース配線は使用されていなかった。【０００７】
本発明の目的は、仮想アース配線を用いており、フィルタ特性上に現れるリップルを低減することができる、フィルタ装置を提供することにある。
【課題を解決するための手段】
【０００８】
本願の第１の発明に係るフィルタ装置は、圧電基板と、入力端子と、出力端子と、圧電基板上に形成された第１，第２のフィルタ部とを備える。第１のフィルタ部は、上記入力端子と上記出力端子との間に接続されている。第２のフィルタ部は、上記入力端子と上記出力端子との間に接続されており、上記第１のフィルタ部に並列に接続されている。【０００９】
第１の発明では、第１のフィルタ部は、第１の縦結合共振子型弾性波フィルタユニットと、第１の縦結合共振子型弾性波フィルタユニットに縦続接続されている第２の縦結合共振子型弾性波フィルタユニットと、第１の縦結合共振子型弾性波フィルタユニットと第２の縦結合共振子型弾性波フィルタユニットとを接続している第１，第２の段間配線とを有する。【００１０】
第２のフィルタ部は、第３の縦結合共振子型弾性波フィルタユニットと、第３の縦結合共振子型弾性波フィルタユニットに縦続接続されている第４の縦結合共振子型弾性波フィルタユニットと、第３，第４の縦結合共振子型弾性波フィルタユニットを接続している第３，第４の段間配線とを有する。【００１１】
第１の発明では、第１のフィルタ部と、第２のフィルタ部とが、ホット側電位に接続される複数の第１の端子部分と、ホット側電位ではない電位に接続される複数の第２の端子部分とを有する。【００１２】
上記第１のフィルタ部の複数の上記第２の端子部分の少なくとも１つの端子部分と、上記第２のフィルタ部の上記複数の第２の端子部分の少なくとも１つの端子部分とを接続するように、仮想アース配線がさらに備えられている。【００１３】
また、第１の発明では、上記仮想アース配線に隣接しているホット側配線部分と、圧電基板上に設けられた絶縁膜とがさらに備えられている。仮想アース配線に隣接している上記ホット側配線部分は、上記絶縁膜上に位置している。【００１４】
本願の第２の発明に係るフィルタ装置は、圧電基板と、入力端子と、出力端子と、圧電基板上に形成された第１，第２のフィルタ部とを備える。第１のフィルタ部は、上記入力端子と上記出力端子との間に接続されている。第２のフィルタ部は、上記入力端子と上記出力端子との間に接続されており、上記第１のフィルタ部に並列に接続されている。【００１５】
本発明では、第１のフィルタ部は、第１の縦結合共振子型弾性波フィルタユニットと、第１の縦結合共振子型弾性波フィルタユニットに縦続接続されている第２の縦結合共振子型弾性波フィルタユニットと、第１の縦結合共振子型弾性波フィルタユニットと第２の縦結合共振子型弾性波フィルタユニットとを接続している第１，第２の段間配線とを有する。【００１６】
第２のフィルタ部は、第３の縦結合共振子型弾性波フィルタユニットと、第３の縦結合共振子型弾性波フィルタユニットに縦続接続されている第４の縦結合共振子型弾性波フィルタユニットと、第３，第４の縦結合共振子型弾性波フィルタユニットを接続している第３，第４の段間配線とを有する。【００１７】
第２の発明では、第１のフィルタ部と、第２のフィルタ部とが、ホット側電位に接続される複数の第１の端子部分と、ホット側電位ではない電位に接続される複数の第２の端子部分とを有する。【００１８】
上記第１のフィルタ部の複数の上記第２の端子部分の少なくとも１つの端子部分と、上記第２のフィルタ部の複数の上記第２の端子部分の少なくとも１つの端子部分とを接続するように、仮想アース配線がさらに備えられている。【００１９】
第２の発明では、仮想アース配線に立体交差しているホット側配線部分がさらに備えられている。そして、該立体交差している部分において、仮想アース配線とホット側配線部分との間に層間絶縁膜がさらに備えられている。この層間絶縁膜を介して立体交差している部分における仮想アース配線の幅が、該仮想アース配線の残りの部分の幅よりも細くされている。【００２０】
本発明（以下、第１，第２の発明を総称して、本発明と略すこととする）のフィルタ装置のある特定の局面では、前記仮想アース配線が、前記第２の縦結合共振子型弾性波フィルタユニットの少なくとも１つの前記第２の端子部分と、前記第４の縦結合共振子型弾性波フィルタユニットの少なくとも１つの前記第２の端子部分とを電気的に接続していてもよい。【００２１】
本発明に係るフィルタ装置では、前記入力端子が不平衡入力端子であってもよく、前記出力端子が不平衡出力端子であってもよい。すなわち、本発明のフィルタ装置は、アンバランス型のフィルタ装置であってもよい。【００２２】
また、本発明に係るフィルタ装置は、前記入力端子が、不平衡入力端子であってもよく、前記出力端子が第１，第２の平衡出力端子であってもよい。すなわち、本発明に係るフィルタ装置は、バランス型のフィルタ装置であってもよい。【００２３】
本発明に係るフィルタ装置は、前記入力端子と、前記出力端子との間に接続されていてもよく、前記第１，第２のフィルタ部に並列に接続されている少なくとも１つの第３のフィルタ部をさらに備えられていてもよい。【００２４】
本発明に係るデュプレクサは、本発明に従って構成されているフィルタ装置からなる第１の帯域通過型フィルタ装置と、上記圧電基板上に設けられており、第１の帯域通過型フィルタ装置とは異なる第２の帯域通過型フィルタ装置とを備える。
【発明の効果】
【００２５】
本発明によれば、仮想アース配線に隣接しているホット側配線部分が絶縁膜上に位置しており、あるいは仮想アース配線とホット側配線部分とが層間絶縁膜を介して立体交差している部分における仮想アース配線部分の幅が残りの仮想アース配線部分の幅よりも狭くされているため、フィルタ特性上に現れるリップルを効果的に抑圧することができる。従って、仮想アース配線を用いて小型化を図ることができるだけでなく、特性の良好なフィルタ装置を提供することが可能となる。
【図面の簡単な説明】
【００２６】
【図１】図１は、本発明の第１の実施形態に係るデュプレクサの回路図である。
【図２】図２は、図１に示したデュプレクサの平面図である。
【図３】図３は、図２に示したデュプレクサの要部を拡大して示す部分切欠平面図である。
【図４】図４は、比較例のデュプレクサの平面図である。
【図５】図５は、第１の実施形態及び比較例のデュプレクサの受信フィルタのフィルタ特性を示す図である。
【図６】図６は、図１に示した実施形態における受信フィルタとして用いられているフィルタ装置の電極構造を示す模式的平面図である。
【図７】図７は、本発明が適用されるフィルタ装置の電極構造の第１の変形例を示す模式的平面図である。
【図８】図８は、本発明が適用されるフィルタ装置の電極構造の第２の変形例を示す模式的平面図である。
【図９】図９は、本発明が適用されるフィルタ装置の電極構造の第３の変形例を示す模式的平面図である。
【図１０】図１０は、本発明が適用されるフィルタ装置の電極構造の第４の変形例を示す模式的平面図である。
【図１１】図１１は、本発明が適用されるフィルタ装置の電極構造の第５の変形例を示す模式的平面図である。
【図１２】図１２は、本発明の第２の実施形態に係るデュプレクサの平面図である。
【図１３】図１３は、図１２に示したデュプレクサの要部を示す部分切欠拡大平面図である。
【図１４】図１４は、第２の実施形態に対する比較例のフィルタ構成を示す図である。
【図１５】図１５は、第２の実施形態及び比較例のデュプレクサにおける受信フィルタのフィルタ特性を示す図である。
【発明を実施するための形態】
【００２７】
以下、図面を参照しつつ、本発明の具体的な実施形態を説明することにより、本発明を明らかにする。
【００２８】
図１は、第１の実施形態のデュプレクサの回路図である。デュプレクサ１は、図２に示す圧電基板２上に図２に示す電極構造を形成することにより構成されている。図１に戻り、デュプレクサ１はアンテナ端子５と、送信端子６と、受信端子７とを有する。アンテナ端子５は共通接続点８に接続されている。共通接続点８と、送信端子６との間に送信フィルタ３が接続されている。共通接続点８と受信端子７との間に受信フィルタ４が接続されている。
【００２９】
受信フィルタ４は、本発明のフィルタ装置の一実施形態を構成している。以下、送信フィルタ３及び受信フィルタ４の詳細を説明する。
【００３０】
送信フィルタ３は、ラダー型フィルタである。ＩＤＴ電極を有する弾性波共振子からなる複数の直列腕共振子Ｓ１〜Ｓ７が直列腕に設けられている。また、並列腕共振子Ｐ１〜Ｐ３がそれぞれ異なる並列腕に設けられている。並列腕共振子Ｐ１〜Ｐ３も、ＩＤＴ電極を有する弾性波共振子からなる。
【００３１】
図２では、上記直列腕共振子Ｓ１〜Ｓ７及び並列腕共振子Ｐ１〜Ｐ３を略図的に図示している。直列腕共振子Ｓ１〜Ｓ７及び並列腕共振子Ｐ１〜Ｐ３は、いずれも、１ポート型弾性波共振子からなる。１ポート型弾性波共振子は、ＩＤＴ電極と、ＩＤＴ電極の弾性波伝搬方向両側に配置された反射器とを有する。本明細書においては、このような弾性波共振子や弾性波フィルタにおけるＩＤＴ電極が設けられている部分及び反射器が設けられている部分をそれぞれＸを矩形の枠で囲んだ形状で略図的に示すこととする。
【００３２】
なお、図２では、共通接続点８を構成する電極ランドが図示されており、この電極ランドが図１のアンテナ端子５をも兼ねている。
【００３３】
また、図２では、並列腕共振子Ｐ１，Ｐ２に接続されるアース端子１２と、並列腕共振子Ｐ３に接続されるアース端子１１が圧電基板２上に設けられている。
【００３４】
図１に戻り、受信フィルタ４は、弾性波共振子１３と、第１のフィルタ部１４と第２のフィルタ部１５とを有する。弾性波共振子１３は、１ポート型の弾性波共振子であり、一端が共通接続点８に接続されており、他端が接続点１３Ａに接続されている。受信フィルタ４では、上記共通接続点８が入力端子となり、受信端子７が出力端子となる。
【００３５】
共通接続点８と受信端子７との間に、第１のフィルタ部１４と第２のフィルタ部１５とが接続されている。より具体的には、接続点１３Ａと受信端子７との間において、第１のフィルタ部１４と第２のフィルタ部１５とが並列に接続されている。第１のフィルタ部１４及び第２のフィルタ部１５は図２に示すように圧電基板２上に図示の電極構造を形成することにより構成されている。
【００３６】
図１に示すように、第１のフィルタ部１４は、第１の縦結合共振子型弾性波フィルタユニット１６と、第２の縦結合共振子型弾性波フィルタユニット１７とを有する。第１の縦結合共振子型弾性波フィルタユニット１６と第２の縦結合共振子型弾性波フィルタユニット１７とは縦続接続されている。すなわち、第１のフィルタ部１４は２段縦続接続構造を有する。
【００３７】
第１の縦結合共振子型弾性波フィルタユニット１６及び第２の縦結合共振子型弾性波フィルタユニット１７は、それぞれ、３ＩＤＴ型の弾性波共振子からなる。第１の縦結合共振子型弾性波フィルタユニット１６は、弾性波伝搬方向に沿って順に配置された第１〜第３のＩＤＴ１６ａ〜１６ｃを有する。第２の縦結合共振子型弾性波フィルタユニット１７も、同様に、第１〜第３のＩＤＴ電極１７ａ〜１７ｃを有する。
【００３８】
ＩＤＴ電極１６ａの一端がアース電位に接続されており、他端が第１の段間配線１８によりＩＤＴ電極１７ａの一端に接続されている。ＩＤＴ電極１７ａの他端はアース電位に接続される。同様に、ＩＤＴ電極１６ｂの一端が接続点１３Ａに他端がアース電位に接続されている。ＩＤＴ電極１６ｃの一端がアース電位に、他端が第２の段間配線１９に接続されている。ＩＤＴ電極１７ｂの一端がアース電位に接続されており、他端が受信端子７に接続されている。ＩＤＴ電極１７ｃの一端が第２の段間配線１９に接続されている。受信端子側の他端は、仮想アース配線２０に接続されている。
【００３９】
第２のフィルタ部１５においても、第３の縦結合共振子型弾性波フィルタユニット２１と、第４の縦結合共振子型弾性波フィルタユニット２２とが２段縦続接続されている。第３の縦結合共振子型弾性波フィルタユニット２１は、第１〜第３のＩＤＴ電極２１ａ〜２１ｃを有する。第４の縦結合共振子型弾性波フィルタユニット２２は、第１〜第３のＩＤＴ電極２２ａ〜２２ｃを有する。第１のＩＤＴ電極２１ａのアンテナ端子側の一端がアース電位に接続されており、受信端子側の他端が第３の段間配線２３に接続されている。
【００４０】
ＩＤＴ電極２１ｂの一端が接続点１３Ａに、他端がアース電位に接続されている。ＩＤＴ電極２１ｃの一端がアース電位に、他端が第４の段間配線２４に接続されている。ＩＤＴ電極２２ａの一端が、第３の段間配線２３により上記ＩＤＴ電極２１ａに接続されている。ＩＤＴ電極２２ａの受信端子側の他端は仮想アース配線２０に接続されており、ＩＤＴ電極１７ｃの受信端子側の他端と電気的に接続されている。
【００４１】
ＩＤＴ電極２２ｂの一端がアース電位に接続されており、他端が受信端子７に接続されている。ＩＤＴ電極２２ｃの一端が第４の段間配線２４に接続されており、他端がアース電位に接続されている。第１の段間配線１８を流れる信号の位相と第２の段間配線１９を流れる信号の位相とが逆となるようにＩＤＴ電極１６ａ〜１６ｃ及びＩＤＴ電極１７ａ〜１７ｃの向きが設定されている。同様に、第３の段間配線２３を流れる信号の位相と、第４の段間配線２４を流れる信号の位相とが逆となるように、ＩＤＴ電極２１ａ〜２１ｃ及びＩＤＴ電極２２ａ〜２２ｃの向きが選択されている。
【００４２】
また、第２の段間配線１９と第３の段間配線２３を流れる信号の位相も逆とされている。従って、第１，第２のフィルタ部１４，１５間において隣り合っているＩＤＴ電極１７ｃとＩＤＴ電極２２ａとの与えられる信号の位相が逆となっている。他方、ＩＤＴ電極１７ｃのアース電位に接続されるべき側の端部と、ＩＤＴ電極２２ａのアース電位に接続されるべき側の端部とは、上記仮想アース配線２０により接続されている。前述したように、ＩＤＴ電極１７ｃとＩＤＴ電極２２ａに与えられる信号の位相が逆とされているため、上記のように仮想アース配線２０により両者を接続することによりＩＤＴ電極１７ｃ，２２ａをアース電位に接続せずともよい。
【００４３】
そのため、図２に示すように、仮想アース配線２０を圧電基板２上に設けた構成では、仮想アース配線２０をアース端子に接続する必要がない。よって、小型化を進めることができる。
【００４４】
もっとも、前述したように、このような仮想アース配線を設けた構成では、フィルタ特性、特に通過帯域にリップルが生じるという問題があった。これに対して、本実施形態のデュプレクサ１では、図２に示すように仮想アース配線２０に隣接しているホット側配線部分２５が絶縁膜２６上に設けられている。そのため、上記リップルを効果的に抑制することができる。これを、以下においてより具体的に説明する。
【００４５】
図２に示すように、ホット側配線部分２５は、ＩＤＴ電極２２ｂの一端と、ＩＤＴ電極１７ｂの一端に接続されており、かつ受信端子７に接続されている配線部分である。また、このホット側配線部分２５は、ＩＤＴ電極１７ｂ，２２ｂの受信端子７に接続される側の端部に電気的に接続されるものであるため、上記仮想アース配線２０に隣接している。
【００４６】
本願では、仮想アース配線２０を有する構成において、仮想アース配線２０に隣接しているホット側配線部分２５を絶縁膜２６上に配置すれば上記リップルを効果的に抑制し得ることを見出し、本発明を成すに至った。上記絶縁膜２６としては、ホット側配線部分２５を圧電基板２に対して、電気的に絶縁し得る適宜の絶縁性材料を用いて形成することができる。このような絶縁性材料としては、合成樹脂や絶縁性セラミックス等を用いることができる。好ましくはポリイミド樹脂などを好適に用いることができる。その場合には、絶縁膜２６を容易に形成することができる。
【００４７】
また、本発明において、仮想アース配線に隣接しているホット側配線部分とは、仮想アース配線に最も近いホット側の配線部分を言うものとする。
【００４８】
なおホットとは、入力端子や出力端子に接続される信号線を言うものとする。
【００４９】
図３に示すように、ホット側配線部分２５は、本実施形態では仮想アース配線２０と略並行とされている。それによって、図２に示す縦方向寸法、すなわち第１，第２のフィルタ部における段間接続方向の寸法を小さくすることが可能とされている。もっとも、ホット側配線部分２５は、仮想アース配線２０と平行に設けられずともよい。
【００５０】
他方、図３に示すように、上記ホット側配線部分２５は、その全体が絶縁膜２６上に位置している必要はなく、少なくとも、仮想アース配線２０と隣り合っている部分において、絶縁膜２６上に位置しておればよい。本実施形態では、仮想アース配線２０が設けられている部分を超えて受信端子７の近い側では、ホット側配線部分２５は圧電基板２上に直接形成されている。
【００５１】
図５は、上記実施形態の受信フィルタ４及び比較例のフィルタ特性を示す図である。比較のために、図４に示した平面図の電極構造を有する比較例のデュプレクサを用意した。比較例のデュプレクサ１０１では、送信フィルタ３は上記実施形態と同様とした。また、受信フィルタにおいては、絶縁膜２６を設けることなく上記ホット側配線部分２５を圧電基板２上に直接形成したことを除いては、上記実施形態と全く同様とした。
【００５２】
図５の実線が上記実施形態の結果を、破線が上記比較例の結果を示す。
【００５３】
図５から明らかなように、上記比較例では、矢印Ａ，Ｂで示すように、通過帯域内に大きなリップルが現れている。これに対して、本実施形態によれば、このようなリップルＡ，Ｂを抑圧し得ることがわかる。
【００５４】
上記のように、本実施形態において、通過帯域内におけるリップルＡ，Ｂが抑圧されるのは、絶縁膜２６上にホット側配線部分２５が設けられていることによる。これは、絶縁膜２６を設けたことにより、ホット側配線部分２５と仮想アース配線２０との間の寄生容量が小さくなっているためと考えられる。
【００５５】
すなわち、上記リップルＡ，Ｂが生じるのは、仮想アース配線２０と接するホット側配線部分との間に寄生容量が入り、該寄生容量を介してホット側の信号が仮想アース配線２０に伝送されることによると考えられる。仮想アース配線２０はアース電位に接続されていないためこのような寄生容量が大きいと、仮想アース配線２０の電位が０Ｖから大きく変化するおそれがある。その結果、仮想アース配線２０に接続されているＩＤＴ電極１７ｃのアース端子側電位と、ＩＤＴ電極２２ａのアース端子側の電位が非対称となり、それによって上記リップルＡ，Ｂが生じているものと考えられる。
【００５６】
本実施形態では、上記絶縁膜２６を設けたことにより、上記寄生容量が小さくされ、従って上記リップルＡ，Ｂが抑圧されていると考えられる。
【００５７】
従って、本実施形態では、上記のように、仮想アース配線２０を用いるとことにより小型化を進めることができるだけでなく、通過帯域内におけるリップルを効果的に抑圧することができる。
【００５８】
なお、図６は上記実施形態における受信フィルタ４の弾性波共振子１３を除いた電極構造を示す模式的平面図である。もっとも、本発明は上記実施形態の電極構造を有するフィルタ装置に限らず、図７〜図１１に示す第１〜第５の変形例に係る電極構造を有するフィルタ装置にも適用することができる。
【００５９】
図７に示すフィルタ装置３１では、入力端子３２と、出力端子としての一対の平衡端子３３，３４とが備えられている。すなわち、フィルタ装置３１は、一対の平衡端子３３，３４を有するバランス型のフィルタ装置である。このように、本発明は、バランス型のフィルタ装置にも適用することができる。
【００６０】
図７に示すように、フィルタ装置３１では、第１のフィルタ部１４の第２の縦結合共振子型弾性波フィルタユニット１７のＩＤＴ電極１７ｂの一端が第１の平衡端子３３に接続されている。また、第４の縦結合共振子型弾性波フィルタユニット２２のＩＤＴ電極２２ｂの一端が第２の平衡端子３４に接続されている。すなわち、平衡端子３３，３４間において、第１のフィルタ部１４と、第２のフィルタ部１５とが接地電位を介して電気的に直列に接続されている。その他の構成は、図６に示した不平衡端子に対して第１のフィルタ部１４と第２のフィルタ部１５とが電気的に並列に接続されている電極構造などと同様である。
【００６１】
この変形例においても、仮想アース配線２０により小型化を図ることが可能とされている。また、本変形例では、仮想アース配線２０に隣接するホット側配線部分とはＩＤＴ電極１７ｂと第１の平衡端子３３とを接続しているホット側配線部分３５及びＩＤＴ電極２２ｂと第２の平衡端子３４とを接続しているホット側配線部分３６になる。すなわち、ホット側配線部分３５，３６を絶縁層上に配置させればよい。前述したように、このようなバランス型のフィルタ装置においては、一対の平衡端子間の位相差及び振幅差を示す特性に大きなリップルが現れていた。これに対して、この変形例によれば、上記絶縁膜上にホット側配線部分３５，３６を位置させることにより、上記実施形態と同様にリップルを効果的に抑圧することができる。
【００６２】
図８に示すフィルタ装置４１では、入力端子４２と出力端子４３との間に、第１のフィルタ部４４と第２のフィルタ部４５とが並列に接続されている。ここでは、第１のフィルタ部４４及び第２のフィルタ部４５の第１，第３の縦結合共振子型弾性波フィルタユニットは、５ＩＤＴ型の一つの縦結合共振子型弾性波フィルタユニット４６により共通化されている。
【００６３】
すなわち、縦結合共振子型弾性波フィルタユニット４６は、第１〜第５のＩＤＴ電極４６ａ〜４６ｅを有する。中央のＩＤＴ電極４６ｃが弾性波伝搬方向にニ分割されている。すなわち、分割ＩＤＴ部４６ｃ１，４６ｃ２を有する。分割ＩＤＴ部４６ｃ１，４６ｃ２は、それぞれ第２，第３の段間配線１９，２３に接続されている。また、ＩＤＴ電極４６ａが第１の段間配線１８に、ＩＤＴ電極４６ｅが第４の段間配線２４に接続されている。その他の構成は図７に示した電極構造とほぼ同様である。
【００６４】
本変形例においても、仮想アース配線２０に隣接するホット側配線部分２５を絶縁層上に位置させることにより上記実施形態と同様の効果を得ることができる。
【００６５】
図９に示す第３の変形例に係るフィルタ装置５１は、不平衡端子からみたときに、第１のフィルタ部と第２のフィルタ部とが互いに電気的に並列に接続されている構成を有する上記フィルタ装置４１とほぼ同様である。異なることは、ＩＤＴ電極１７ｂ，２２ｂが、図７に示したフィルタ装置３１と同様に、平衡端子３３，３４に接続されるホット側配線部分３５，３６の間で、接地電位を介して第１のフィルタ部と第２のフィルタ部とが電気的に直列に接続されていることにある。すなわち、バランス型のフィルタ装置５１が構成されている。本変形例においても、仮想アース配線２０に隣接するホット側配線部分３５，３６を絶縁層上に設けることにより、フィルタ特性の結果を抑制することができる。すなわち、一対の平衡端子３３，３４間の位相差及び振幅差の特性上に現れるリップルを効果的に抑圧することができる。
【００６６】
図１０に示す第４の変形例のフィルタ装置６１では、第１，第２のフィルタ部１４，１５に加えて、さらに横方向に第３のフィルタ部６２が設けられている。第３のフィルタ部６２は、第１のフィルタ部１４と同様に構成されている。すなわち、第３のフィルタ部６２は、第５の縦結合共振子型弾性波フィルタユニット６３と、第６の縦結合共振子型弾性波フィルタユニット６４とを２段縦続接続した構造を有する。
【００６７】
ＩＤＴ電極６３ｂの一端が接続点１３Ａに他端がアース電位に接続されている。ＩＤＴ電極６３ａ，６３ｃの各一端がアース電位に接続されている。ＩＤＴ６３ａ，６３ｃの他端が、それぞれ第５，第６の段間配線６５，６６に接続されている。
【００６８】
ＩＤＴ電極６４ｂの一端がアース電位に、他端が受信端子７に接続されている。ＩＤＴ電極６４ａの一端が第５の段間配線６５に、他端が仮想アース２０Ａに接続されている。仮想アース配線２０Ａは、第２のフィルタ部１５のＩＤＴ電極２２ｃに接続されている。ＩＤＴ電極６４ｃの一端がアース電位に、他端が第６の段間配線６６に接続されている。
【００６９】
フィルタ装置６１では、第５の段間配線６５を流れる信号の位相と、第６の段間配線６６を流れる信号の位相とが逆になるようにＩＤＴ電極６３ａ〜６３ｃ，ＩＤＴ電極６４ａ〜６４ｃの向きが選択されている。また、第５の段間配線６５を流れる信号の位相は、第４の段間配線２４を流れる信号の位相と逆とされている。
【００７０】
よって、仮想アース配線２０Ａは前述した仮想アース配線２０と同様に機能する。従って、この変形例においても仮想アース配線２０に加えて仮想アース配線２０Ａを設けることにより小型化を図ることができる。しかも、仮想アース配線２０に隣接しているホット側配線部分２５と同じく仮想アース配線２０Ａに隣接しているホット側配線部分２５Ａとをそれぞれ、同じ絶縁層または別の絶縁層上に位置させることによりフィルタ特性上に現れるリップルを低減することができる。
【００７１】
図１１に示す第５の変形例のフィルタ装置７１は、フィルタ装置６１をバランス型に変更したことを除いては同様とされている。すなわち、フィルタ装置７１では、ＩＤＴ電極２２ｂが分割ＩＤＴ部２２ｂ１，２２ｂ２を有する。分割ＩＤＴ部２２ｂ２とＩＤＴ電極１７ｂとが共通接続され、第１の平衡端子３３に接続されている。また、分割ＩＤＴ部２２ｂ１と、ＩＤＴ電極６４ｂとが共通接続され、第２の平衡端子３４に接続されている。
【００７２】
本変形例においても、仮想アース配線２０，２０Ａにより小型化を図ることができる。また、ホット側配線部分、すなわち、仮想アース配線２０に隣接しているホット側配線部分３５を絶縁層上に位置させることにより、また仮想アース配線２０Ａに隣接しているホット側配線部分３６を絶縁層上に位置させることにより、リップルを抑制することができる。すなわち、第１，第２の平衡端子３３，３４間の位相特性及び振幅特性に現れるリップルを効果的に抑圧することができる。
【００７３】
図１２は、本発明の第２の実施形態に係るデュプレクサの平面図である。デュプレクサ８１では、ＩＤＴ電極１７ｂ，２２ｂを受信端子７に接続するホット側配線部分２５Ｂが仮想アース配線２０Ｂと立体交差部８２，８３により立体交差している。より具体的には、仮想アース配線２０Ｂ上に層間絶縁膜８４，８５が形成されている。この層間絶縁膜８４，８５上を通過するように、ホット側配線部分２５Ｂが形成されている。それによって立体交差部８２，８３が設けられている。
【００７４】
図１３に拡大して示すように、仮想アース配線２０Ｂは、上記立体交差部８２において、相対的幅が細い部分２０Ｂ１を有する。相対的に幅の狭い部分２０Ｂ１は、本実施形態では、層間絶縁膜８４が上に積層されている部分に設けられている。そして、相対的に幅の狭い部分２０Ｂ１以外の部分２０Ｂ２の幅は、相対的に広くされている。
【００７５】
本実施形態は、上記立体交差部８２，８３が設けられており、ホット側配線部分２５Ｂが、立体交差部８２，８３において層間絶縁膜８４，８５上に位置している点において、第１の実施形態と異なっている。なお第１の実施形態と、同一部分については同一の参照番号を付することにより、第１の実施形態の説明を援用することとする。
【００７６】
本実施形態においても仮想アース配線２０Ｂを用いることにより小型化が図られている。しかも、本実施形態では、上記層間絶縁膜８４，８５を介して、ホット側配線部分２５Ｂが、仮想アース配線２０Ｂに対して分離されている。従って、仮想アース配線２０Ｂと、ホット側配線部分２５Ｂとの間の寄生容量を小さくすることができる。従って、第１の実施形態の場合と同様に、通過帯域に現れるリップルを抑圧することができる。
【００７７】
特に、本実施形態では、上記ホット側配線部分２５Ｂと層間絶縁膜８４を介して重ねられている部分が、幅の狭い部分２０Ｂ１となっており、仮想アース配線２０Ｂを構成している。従って、上記寄生容量をより一層小さくすることができる。よって、上記リップルをより一層効果的に抑圧することができる。このように、ホット側配線部分２５Ｂと層間絶縁膜８４，８５を介して重なり合う仮想アース配線部分の幅が残りの部分よりも狭いことが望ましい。
【００７８】
本実施形態では、層間絶縁膜８３の下方に位置している仮想アース配線部分全体が幅の細い部分２０Ｂ１とされていたが、上記のように、ホット側配線部分２５Ｂと重なり合う部分においてのみ、仮想アース配線２０Ｂの幅が狭くされていてもよい。また、幅の狭い部分２０Ｂ１は、層間絶縁膜８４が積層されている部分よりも外側に至っていてもよい。
【００７９】
図１４に、仮想アース配線とホット側配線部分との間に、０．１ｐＦの静電容量９２を追加した比較例のフィルタ構成を示す。本比較例の他の構成は、第２の実施形態とほぼ同様である。
【００８０】
図１５は、第２の実施形態と図１４に示した比較例とのＳ２１特性の測定結果である。図１５では、第２の実施形態を実線で示し、図１４の比較例を破線で示した。
【００８１】
第２の実施形態に比べ比較例では、仮想アース配線とホット側配線部分との間の静電容量の増加に伴い、通過帯域内のリップルが増加していることがわかる。
【００８２】
従って、仮想アース配線とホット側配線部分との間の静電容量が減少するので、上記第２の実施形態では、通過帯域内のリップルが減少することが分る。
【００８３】
第２の実施形態のフィルタ装置においても第１，第２のフィルタ部の電極構造は特に限定されず、前述した図７〜図１１に示した第１〜第５の変形例のように適宜変形することができる。
【００８４】
さらに、第１の実施形態では、ＩＤＴ電極１７ｃとＩＤＴ電極２２ａとを接続している仮想アース配線２０が設けられており、第２の実施形態では、ＩＤＴ電極１７ａ，１７ｃ，２２ａ，２２ｃを接続している仮想アース配線２０Ｂが設けられていた。本発明において、仮想アース配線に接続されるＩＤＴ電極はこれらに限定されない。すなわち、第１〜第４の縦結合共振子型弾性波フィルタユニットでは、ＩＤＴ電極の一端及び他端部分を構成しており、ホット側電位に接続される端子部分が第１の端子部分であり、ホット側電位ではない電位に接続される端子部分が第２の端子部分である。本発明では、第１のフィルタ部の第２の端子部分の少なくとも１つと、第２のフィルタ部の複数の第２の端子部分の内の少なくとも１つの端子部分とを接続するように上記仮想アース配線が備えられていればよい。
【００８５】
なお、上記実施形態では、入力端子及び出力端子の少なくとも一方の側で、不平衡端子からみたときに、第１のフィルタ部と第２のフィルタ部とが電気的に並列に接続される構成を示した。上記構成は、上記実施形態で示したように、第１のフィルタ部と第２のフィルタ部とが、入力端子及び出力端子の少なくとも一方の側の平衡端子間で、接地電位を介して電気的に直列に接続されている構成を除外するものではない。本発明は３ＩＤＴ型の弾性波共振子を含む３つ以上のＩＤＴを有する縦結合共振子型弾性波フィルタユニットにも適応できる。
【００８６】
また、本発明のフィルタ装置は、弾性波表面波や弾性境界波などのさまざまな弾性波を利用した装置により構成することができる。
【符号の説明】
【００８７】
１…デュプレクサ
２…圧電基板
３…送信フィルタ
４…受信フィルタ
５…アンテナ端子
６…送信端子
７…受信端子
８…共通接続点
１１，１２…アース端子
１３…弾性波共振子
１３Ａ…接続点
１４…第１のフィルタ部
１５…第２のフィルタ部
１６…第１の縦結合共振子型弾性波フィルタユニット
１６ａ〜１６ｃ…ＩＤＴ電極
１７…第２の縦結合共振子型弾性波フィルタユニット
１７ａ〜１７ｃ…ＩＤＴ電極
１８…第１の段間配線
１９…第２の段間配線
２０，２０Ａ…仮想アース配線
２１ａ〜２１ｃ，２２ａ〜２２ｃ…ＩＤＴ電極
２２…第４の縦結合共振子型弾性波フィルタユニット
２２ｂ１，２２ｂ２…分割ＩＤＴ部
２３…第３の段間配線
２４…第４の段間配線
２５，２５Ａ，２５Ｂ…ホット側配線部分
２６…絶縁膜
３１…フィルタ装置
３２…入力端子
３３…第１の平衡端子
３４…第２の平衡端子
３５，３６…ホット側配線部分
４１…フィルタ装置
４２…入力端子
４３…出力端子
４４…第１のフィルタ部
４５…第２のフィルタ部
４６…縦結合共振子型弾性波フィルタユニット
４６ａ〜４６ｅ…ＩＤＴ電極
４６ｃ１，４６ｃ２…分割ＩＤＴ部
５１…フィルタ装置
６１…フィルタ装置
６２…第３のフィルタ部
６３…第５の縦結合共振子型弾性波フィルタユニット
６３ａ〜６３ｃ，６４ａ〜６４ｃ…ＩＤＴ電極
６５…第５の段間配線
６６…第６の段間配線
７１…フィルタ装置
８１…デュプレクサ
８２，８３…立体交差部
８４，８５…層間絶縁膜
９２…静電容量
Ｐ１〜Ｐ３…並列腕共振子
Ｓ１〜Ｓ７…直列腕共振子
【図１】
2014199674.tif 000003
【図２】
2014199674.tif 000004
【図３】
2014199674.tif 000005
【図４】
2014199674.tif 000006
【図５】
2014199674.tif 000007
【図６】
2014199674.tif 000008
【図７】
2014199674.tif 000009
【図８】
2014199674.tif 000010
【図９】
2014199674.tif 000011
【図１０】
2014199674.tif 000012
【図１１】
2014199674.tif 000013
【図１２】
2014199674.tif 000014
【図１３】
2014199674.tif 000015
【図１４】
2014199674.tif 000016
【図１５】
2014199674.tif 000017
【国際調査報告】
2014199674.tif 000018
2014199674.tif 000019
2014199674.tif 000020
2014199674.tif 000021
2014199674.tif 000022
2014199674.tif 000023